(57)【要約】【課題】本発明の課題は、複数種類のゴルフクラブに対応して所望のクラブ種別の標示を行うことができ、在庫リスクを低減できると共に、ワッペン等の別部材の紛失のおそれ及び製造コストを抑制できるゴルフクラブ用ヘッドカバーを提供することにある。【解決手段】本発明に係るゴルフクラブ用ヘッドカバーは、ゴルフクラブのヘッドが挿入される開口を有する有蓋筒状のゴルフクラブ用ヘッドカバーであって、前記開口が設けられる裾部が蓋側かつ外側に多段に折り返し可能に設けられ、前記裾部内面に、互いに異なる複数のクラブ種別の標示が、軸方向に間隔をあけて配置されていることを特徴とする。前記裾部外面に、さらに異なるクラブ種別の標示が配置されているとよい。前記裾部内面に配置される前記複数の標示が、蓋側に従って数値が大きくなる数字であるとよい。前記裾部が、折り返された状態を維持する固定部を備えるとよい。【選択図】図４
2017169914.tif 000002
【特許請求の範囲】
【請求項１】
ゴルフクラブのヘッドが挿入される開口を有する有蓋筒状のゴルフクラブ用ヘッドカバーであって、
前記開口が設けられる裾部が蓋側かつ外側に多段に折り返し可能に設けられ、
前記裾部内面に、互いに異なる複数のクラブ種別の標示が、軸方向に間隔をあけて配置されていることを特徴とするゴルフクラブ用ヘッドカバー。
【請求項２】
前記裾部外面に、さらに異なるクラブ種別の標示が配置されている請求項１に記載のゴルフクライブ用ヘッドカバー。
【請求項３】
前記裾部内面に配置される前記複数の標示が、蓋側に従って数値が大きくなる数字である請求項１又は請求項２に記載のゴルフクラブ用ヘッドカバー。
【請求項４】
前記裾部が、折り返された状態を維持する固定部を備える請求項１、請求項２又は請求項３に記載のゴルフクラブ用ヘッドカバー。
【請求項５】
前記裾部が、未折返し状態から１回目に折り返される所定幅の初期折返し部位を備える請求項１から請求項４のいずれか１項に記載のゴルフクラブ用ヘッドカバー。
【発明の詳細な説明】
【技術分野】
【０００１】
本発明は、ゴルフクラブ用ヘッドカバーに関する。
【背景技術】
【０００２】
ゴルフバックにゴルフクラブを収容する際にゴルフクラブのヘッドにゴルフクラブ用ヘッドカバー（以下、単に「ヘッドカバー」ということがある）を装着することが一般的になされている。
【０００３】
このようなヘッドカバーにあっては、（１）装着されたゴルフクラブの番手を示すために、３、５、７、９等の数字が外面に表示されたものが公知である。
【０００４】
また、（２）ヘッドカバーの本体部分の共通化を図るため、各ヘッドカバーの本体部分に、数字を付したワッペンを取り付けたものや、実用新案登録第３１３５９７６号公報のようにスライド式で数字を変更できる番号表示器を取付けたものも公知である。
【０００５】
しかし、（１）ヘッドカバー外面に数字を表示したものにあっては、ゴルフクラブの種類に応じたヘッドカバーをそれぞれ製作し、販売店等において保管しておく必要があり、在庫リスクが高い。
【０００６】
また、（２）ワッペンや番号表示器を用いる方法にあっては、前記在庫リスクが減少するが、数字を表示するためにワッペンや番号表示器などの別途の部材が必要となるので、製造コストが高くなると共に、前記別途の部材を使用者（ゴルファー）が紛失するおそれが生ずる。
【先行技術文献】
【特許文献】
【０００７】
【特許文献１】実用新案登録第３１３５９７６号公報
【発明の概要】
【発明が解決しようとする課題】
【０００８】
本発明は、このような事情に基づいてなされたものであり、本発明の課題は、複数種類のゴルフクラブに対応して所望のクラブ種別の標示を行うことができ、在庫リスクを低減できると共に、ワッペン等の別部材の紛失のおそれ及び製造コストを抑制できるゴルフクラブ用ヘッドカバーを提供することにある。
【課題を解決するための手段】
【０００９】
前記課題を解決すべくなされた本発明に係るゴルフクラブ用ヘッドカバーは、ゴルフクラブのヘッドが挿入される開口を有する有蓋筒状のゴルフクラブ用ヘッドカバーであって、前記開口が設けられる裾部が蓋側かつ外側に多段に折り返し可能に設けられ、前記裾部内面に、互いに異なる複数のクラブ種別の標示が、軸方向に間隔をあけて配置されていることを特徴とする。
【００１０】
当該ゴルフクラブ用ヘッドカバーにあっては、裾部内面に標示が配置されているので、前記裾部を蓋側かつ外側に折り返すことで裾部内面の標示を外面側に表出させることができる。また、この裾部内面には、互いに異なる複数のクラブ種別の標示が、軸方向に間隔をあけて配置されているので、最も開口側の標示とこれに隣接した標示との間を起点として裾部を一段折り返すことで、最も開口側の標示を外面側に表出させることができ、この状態から裾部の折り返した部分を蓋側かつ外側にさらに一段折り返すことで前記隣接した標示を外面側に表出させることができる。このため、当該ゴルフクラブ用ヘッドカバーは、裾部の折り返す回数を異ならしめることで、異なるクラブ種別の標示を行うことができる。
【００１１】
前記裾部外面に、さらに異なるクラブ種別の標示が配置されていることが好ましい。これにより、裾部を折り返さない状態とすることによって、裾部内面の標示と異なるクラブ種別の標示を外面側に表出させることができ、当該ゴルフクラブ用ヘッドカバーによって少なくとも三種のクラブ種別を選択して表出させることができる。また、裾部の外面もクラブ種別の標示を設ける場所として利用することで、裾部の一定の幅の領域でより多くの標示を設けることが可能となる。
【００１２】
当該ゴルフクラブ用ヘッドカバーは、前記裾部内面に配置される前記複数の標示が、蓋側に従って数値が大きくなる数字であることが好ましい。これによって、裾部を前述のように多段で折り返すに従って、当該ゴルフクラブ用ヘッドカバー全体の軸方向の長さが短くなり、表出する数値が大きくなる。一方、例えばフェアウェイウッドは、番手の数値が大きくなるに従って、クラブの長さが短くなる。このため、当該ゴルフクラブ用ヘッドカバーをそれぞれ装着した番手の異なるフェアウェイウッドを、ゴルフケース等にヘッドを上にした状態で収容した際に、各番手に装着された当該ゴルフクラブ用ヘッドカバーの標示が同一高さに揃い易い。
【００１３】
当該ゴルフクラブ用ヘッドカバーは、前記裾部が、折り返された状態を維持する固定部を備えることが好ましい。これにより裾部内面の標示を外面側に表出した状態を固定部によって的確に維持しやすい。
【００１４】
当該ゴルフクラブ用ヘッドカバーは、前記裾部が、未折返し状態から１回目に折り返される所定幅の初期折返し部位を備えることが好ましい。これにより、前記初期折返し部位を折り返すことで、最も開口側の標示を外面側に表出させ、次いで前記初期折返し部位を軸として多段に折り返することで他の標示を外面側に容易に表出させることができる。
【発明の効果】
【００１５】
以上説明したように、本発明に係るゴルフクラブ用ヘッドカバーは、裾部の折り返し状態を変更することで複数種類のゴルフクラブに対応して所望のクラブ種別の標示を外面に表出させることができ、在庫リスクを低減できると共に、従来の番号表示器等のような別部材を用いるものではないので、前記別部材を紛失するおそれ及び製造コストの抑制を図ることかできる。
【図面の簡単な説明】
【００１６】
【図１】本発明の一実施形態にゴルフクラブ用ヘッドカバーの概略的正面図である。
【図２】図１のゴルフクラブ用ヘッドカバーの裾部を一段折り返した状態の概略的正面図である。
【図３】図１のゴルフクラブ用ヘッドカバーの裾部を二段折り返した状態の概略的正面図である。
【図４】図１のゴルフクラブ用ヘッドカバーの裾部の内面を説明するための説明図であって、一度に裾部全体を折り返した状態を示す概略的正面図である。
【図５】図１のゴルフクラブ用ヘッドカバーをそれぞれ装着した複数本のゴルフクラブの収容状態を示す概略的部分拡大正面図である。
【図６Ａ】図１と異なるゴルフクラブ用ヘッドカバーの概略的正面図である。
【図６Ｂ】図６Ａのゴルフクラブ用ヘッドカバーの裾部の内面を説明するための説明図であって、一度に裾部全体を折り返した状態を示す概略的正面図である。
【図７】図１と異なるゴルフクラブ用ヘッドカバーの概略的正面図である。
【発明を実施するための形態】
【００１７】
図１のゴルフクラブ用ヘッドカバー（以下、単に「ヘッドカバー」ということがある）は、ゴルフクラブのヘッドが挿入される開口を有する有蓋筒状の形状をなしている。
【００１８】
当該ヘッドカバーは、具体的には、上記開口が設けられると共にゴルフクラブに装着された際にシャフトを覆う筒部１と、上部に蓋部分が設けられると共に前記筒部１より径が大きくゴルフクラブに装着された際にヘッドを覆う頭部３とを備え、筒部１と頭部３とが一体的に設けられている。
【００１９】
当該ヘッドカバーの大きさは、装着されるゴルフクラブの大きさに応じて適宜設計変更可能である。なお、当該ヘッドカバーの上下長さ（軸方向の長さ）としては、例えば１５ｃｍ以上１００ｃｍ以下であり、開口部の口径としては、例えば３ｃｍ以上１５ｃｍ以下程度である。また、筒部１の上下長さとしては、例えば１０ｃｍ以上８０ｃｍ以下である。頭部３の上下長さとしては例えば１０ｃｍ以上４０ｃｍ以下である。
【００２０】
当該ヘッドカバーは、可撓性を有することが好ましく、後述するように裾部１０が多段に折り返されるものであれば材質は特に問わない。当該ヘッドカバーの材質としつては、編物及び織物等の布帛、合成皮革等の皮革、合成樹脂等、適宜のものを採用可能である。なかでも、ゴルフクラブのヘッドの保護機能、製品コスト等を考慮すると、ニット等の編物であることが好ましい。
【００２１】
前記裾部１０は、蓋側（上側）かつ外側に図２及び図３に示すように多段に折り返し可能に設けられている。具体的には、この裾部１０は、前記筒部１の開口側の部分であり、開口から一定の領域によって構成される。この裾部１０には、後述するように外面及び内面にクラブ種別の標示Ｍが配置されている。このように裾部１０の内面のみならず外面もクラブ種別Ｍの標示を設ける場所として利用することで、裾部１０の一定の幅（上下方向の一定の長さ）の領域においてより多くの標示Ｍを設けることが可能となる。
【００２２】
前記裾部１０は、図１に示すような未折返し状態から図２に示すように１回目に折り返される所定幅Ｗ１の初期折返し部位１０ａを備えている。この裾部１０は、図２に示すように前記初期折返し部位１０ａで一段折り返された後、さらに初期折返し部位１０ａと同一の幅Ｗ１で蓋側かつ外側に図３に示すように折り返される。また、図３に示すように二段折り返された裾部１０は、さらに初期折返し部位１０ａと同一の幅Ｗ１で蓋側かつ外側に折り返される。なお、裾部１０は、所定幅Ｗ１で三段折り返されるため、前述のように裾部１０を構成する筒部１の開口からの一定の領域とは、開口から初期折返し部位１０ａの所定幅Ｗ１の三倍の部分の領域である。また、前述のように多段に折り返す際の幅Ｗ１が、初期折り返し部位１０ａの所定幅Ｗ１と同一であるとは、完全に同一であることを意図するものではなく、折り返す回数が増えるにつれて裾部１０の厚み分が大きくなることを含む。
【００２３】
前記裾部１０には、内面に、三つの異なるクラブ種別の標示Ｍが、軸方向（上下長さ方向）に間隔Ｗ２（図４参照）をあけて配置されている。この裾部１０の内面の三つの標示Ｍは、蓋側に従って数値が大きくなる数字であり、具体的には、開口側から蓋側に従って「５」、「７」及び「９」である。このため、「５」と「７」との間を起点として裾部１０（初期折返し部位１０ａ）を一段折り返すことで、図２に示すように「５」が外面に表出する。そして、図２の状態から「７」と「９」との間を起点として裾部１０をさらに一段折り返すことで、図３に示すように「７」が外面に表出する。さらに、図３の状態から裾部１０をさらに一段折り返すことで、「９」が外面に表出する。このように、内面の複数の表示Ｍは、それぞれ所定回数折り返されることで外面に表出する位置に配されている。このため、当該ヘッドカバーは、裾部１０の折り返す回数を異ならしめることで、三種類のクラブ種別の標示Ｍを行うことができる。なお、図４は、実際の使用状態を説明する図面ではなく、裾部１０の内面の標示Ｍを説明するための図面である。
【００２４】
また、前記裾部１０の外面には、前記裾部１０の内面の標示Ｍと異なるクラブ種別の標示Ｍが配置されている。具体的には、裾部１０の外面の標示Ｍは図１に示すように「３」である。つまり、裾部１０の外面の数字（標示Ｍ）は、裾部１０の内面の最小の数字である「５」よりも小さい。なお、前記裾部１０の外面の標示Ｍは、初期折返し部位１０ａが一段折り返された際にこの折り返された部分によって隠れる箇所（外面に表出しなくなる箇所）に配置されている。このため、初期折り返し部位１０ａを一段折り返した際に、図２に示すように「５」のみが外面に表示される。なお、この外面の標示Ｍは、開口から上記幅Ｗ１の２倍の範囲内に配置されれば上述のように隠れるが、図示例のように初期折り返し部位１０ａの外面に設けることが好ましい。これにより、後述するようにゴルフバックに収容した際、他のクラブに装着された当該ゴルフクラブ用ヘッドカバーの標示Ｍと同一高さに揃い易くなる（図５参照）。
【００２５】
前記標示Ｍの配設手法は、特に限定されず、例えば印刷又はシール等の貼付によって行うことができる。ただし、当該ヘッドカバーが、ニット材等の布製品からなる場合、パターン編み又はパターン織りによって前記標示Ｍの表示がなされていることが好ましい。つまり、前記標示Ｍの配設手法としては、標示Ｍが裾部１０に一体的になされていることが好ましく、これによって標示のための部材（例えば前記シール）の離脱等のおそれが少ない利点を有する。
【００２６】
［利点］
当該ヘッドカバーは、ゴルフクラブのヘッドを開口から挿入することでゴルフクラブに装着され、ゴルフクラブのヘッド部分を保護する。
【００２７】
当該ヘッドカバーは、裾部１０の未折返し状態で図１に示すように外面に「３」のみを表出させることができ、裾部１０を一段折り返すことで図２に示すように外面に「５」のみを表出させることができ、裾部１０を二段折り返すことで図３に示すように外面に「７」のみを表出させることができ、裾部１０を三段折り返すことで外面に「９」を表出させることができる。このため、当該ヘッドカバーは、裾部１０の折返し状態によって、四種類のクラブ種別の標示Ｍを変更させることができるので、多種類のクラブに適用することができる。このため、当該ヘッドカバーは、従来のようにクラブ種別ごとに複数種類のヘッドカバーを用意する必要がなく、在庫リスクが低い。
【００２８】
また、当該ヘッドカバーは、前述のように裾部１０の折返し状態によってクラブ種別の標示Ｍを変更できるので、従来のように番号表示器等の別途の部材が必要ではなく、製造コストの抑制が図られる。
【００２９】
さらに、当該ヘッドカバーは、前記裾部１０の内面の三つの数字（標示Ｍ）が、蓋側に従って数値が大きくなり、また裾部１０の外面の数字が裾部１０の内面の数字よりも小さいので、各クラブに装着された当該ヘッドカバーの標示Ｍが同一高さに揃い易い。具体的に説明すると、３番フェアウェイウッドに当該ヘッドカバーを図１に示すように裾部１０の未折返し状態で装着し、５番フェアウェイウッドに当該ヘッドカバーを図２に示すように裾部１０の一段折返し状態で装着し、７番フェアウェイウッドに当該ヘッドカバーを図３に示すように裾部１０の二段折返し状態で装着し、９番フェアウェイウッドに当該ヘッドカバーを裾部１０の三段折返し状態で装着し、これら３番、５番、７番及び９番フェアウェイウッドをゴルフケースにヘッドを上にした状態で図５に示すように収容した際、各番手に装着された当該ゴルフクラブ用ヘッドカバーの標示Ｍが同一高さに揃い易い。このように表示がほぼ同じような高さに揃うことで、ユーザは、複数種類のフェアウェイウッドを探し出しやすい。
【００３０】
［その他の実施形態］
本実施形態は前記構成からなり、前述の利点を奏するものであったが、本発明は前記実施形態に限定されるものではなく、本発明の意図する範囲内において適宜設計変更可能である。
【００３１】
つまり、前記実施形態においては、当該ヘッドカバーが筒部１と頭部３とを備えるものについて説明したが、本発明はこれに限定されるものではなく、例えば径の大きさが軸方向で均一な有蓋筒状のものであっても良い。
【００３２】
さらに、前記実施形態においては、裾部１０の外面にも標示Ｍが配置されているものについて説明したが、本発明はこれに限定されるものではなく、裾部１０の外面に標示が配置されていなくとも良い。
【００３３】
また、前記実施形態においては、クラブ種別の標示Ｍとして数字を用いるものについて説明したが、本発明はこれに限定されるものではなく、標示として記号等を用いることも可能である。さらに、標示として数字を用いる場合であっても、図示例の算用数字に限られず、漢数字等であっても良い。また、複数のクラブ種別の標示として、全て同一の種類のものを用いるものに限定されず、数字と記号とを併用して用いることも可能である。具体的には、例えば四つの標示を配置する場合にあって、多くのユーザ（ゴルファー）が使用（購入）する三つのクラブの種別の標示については数字を用い、一つのクラブの種別の標示については記号（例えば英文字「Ｘ」）を用い、この記号を比較的使用（購入）されることの少ないクラブを示す標示として用いることも可能である。
【００３４】
また、標示として数字を用いる場合であっても、上記実施形態のように「３」、「５」、「７」、「９」のように奇数番号のみとするものに限られず、連続した数字であってもよく、標示として使用する数字は適宜設計変更可能である。
【００３５】
さらに、前記実施形態においては、裾部１０の内面に三つの標示Ｍが配置されているものについて説明したが、本発明はこれに限定されるものではなく、裾部１０の内面の標示が二つであっても良く、四つ以上であってもよい。
【００３６】
また、前記実施形態においては、裾部１０の内面の三つの標示Ｍが等しい間隔Ｗ２で配され、初期折返し部位１０ａの幅Ｗ１で多段に折り返されるものについて説明したが、本発明はこれに限定されるものではなく、裾部１０の内面の標示Ｍの間隔が蓋側に従って広くなり、折り返す回数が増えるに従って折り返す幅が広くなるものであっても良い。
【００３７】
さらに、当該ヘッドカバーにあっては、前記裾部１０が、図６Ａ及び図６Ｂに示すように、折り返された状態を維持する固定部１１を備えることが好ましい。これによって、裾部１０の内面の標示Ｍを外面側に表出した状態を固定部１１によって的確に維持することができる。この固定部１１としては、種々のものを採用することができ、例えば裾部１０の所定の折返し状態で互いに着脱可能に係合するボタンや面ファスナー等の係合部から構成することができる。図６Ａ及び図６Ｂにおいて、固定部１１が複数対設けられたものを図示しているが、一対の固定部１１のみを有するものであっても良い。
【００３８】
また、前記裾部１０は、図７に示すように、前記初期折返し部位１０ａで折返しが容易となる折返し容易手段を備えることが好ましい。この折り返し容易手段としては、例えば初期折返し部位１０ａと裾部１０の他の領域との境界（図７の破線１２）において薄肉部を設けることが可能である。これによって、薄肉部を起点として裾部１０を折返し易くなる。また、折り返し容易手段としては、例えば図７の破線１２よりも開口側の領域（初期折返し部位１０ａ）を裾部１０の他の領域よりも硬く設けることも可能である。これによって、比較的硬い初期折返し部位１０ａが最初に折返され易くなる。さらに、当該ヘッドカバーが編物から構成される場合、図７の破線１２よりも開口側の領域（初期折返し部位１０ａ）がゴム糸をインレイ編みした部位であることで、裾部１０の他の領域と区画され、この初期折返し部位１０ａが最初に折返され易くなる。さらには、このインレイ編みしたゴム糸によって前記折返し状態が維持されやすくなり、このゴム糸によって前記固定部を構成することができる。
【産業上の利用可能性】
【００３９】
以上説明したように、本発明は、在庫リスク及び製造コストの抑制を図ることができ、ゴルフクラブのヘッドに装着されるヘッドカバーとして好適に用いることができる。
【符号の説明】
【００４０】
１  筒部
３  頭部
１０  裾部
１０ａ  折返し部位
１１  固定部
Ｍ  標示
Ｗ１  折返し部位の幅
Ｗ２  標示間の間隔
【図１】
2017169914.tif 000003
【図２】
2017169914.tif 000004
【図３】
2017169914.tif 000005
【図４】
2017169914.tif 000006
【図５】
2017169914.tif 000007
【図６Ａ】
2017169914.tif 000008
【図６Ｂ】
2017169914.tif 000009
【図７】
2017169914.tif 000010